(57)【要約】  車両（１０）には、エンジン（２）と第一の回転電機（３）と第二の回転電機（４）とが搭載されており、エンジン（２）の動力及び第一の回転電機（３）の動力が互いに異なる動力伝達経路（４１，４２）から個別に駆動輪（５）に伝達されるとともにエンジン（２）の動力が第二の回転電機（４）にも伝達されて発電に利用される。車両（１０）には、動力伝達経路（４２）上に介装された断接機構（８）と、複数の運転モードのうちの一つが選択される選択部（３３）とが設けられる。車両（１０）の制御装置（１）は、運転モードを設定する設定部（１Ｃ）と、各運転モードにおける二つの回転電機（３，４）の作動状態の関係が記憶された記憶部（１Ｄ）と、エンジン（２）の駆動中かつ加速時に切断状態の断接機構を接続させる際に、記憶部（１Ｄ）に記憶された、設定中の運転モードに対応する作動状態となるよう回転電機（３，４）を制御する制御部（１Ｅ）とを備える。
2020148975.tif 000002
【特許請求の範囲】
【請求項１】
エンジンと第一の回転電機と第二の回転電機とが搭載され、前記エンジンの動力及び前記第一の回転電機の動力を互いに異なる動力伝達経路から個別に駆動輪に伝達するとともに前記エンジンの動力を前記第二の回転電機にも伝達して発電する車両の制御装置において、
前記車両には、前記第一の回転電機の動力を前記駆動輪に伝達する動力伝達経路上に介装された断接機構と、動力性能の異なる複数の運転モードのうちの一つが選択される選択部と、が設けられ、
前記制御装置は、
前記選択部に対する入力に基づき前記運転モードを設定する設定部と、
各々の前記運転モードにおける前記第一の回転電機と前記第二の回転電機との作動状態の関係が記憶された記憶部と、
前記エンジンの駆動中かつ前記車両の加速時に切断状態の前記断接機構を接続させる際に、前記記憶部に記憶された、設定中の前記運転モードに対応する前記作動状態となるように前記第一の回転電機及び前記第二の回転電機を制御する制御部と、を備えた
ことを特徴とする、車両の制御装置。
【請求項２】
前記記憶部には、前記運転モードごとに、アクセル開度及びアクセル開速度に基づいて前記作動状態を決定するマップが記憶されている
ことを特徴とする、請求項１記載の車両の制御装置。
【請求項３】
前記マップには、前記第一の回転電機と前記第二の回転電機との作動状態を決定するための少なくとも三つの制御領域が設定されており、
各々の前記制御領域には、前記断接機構の接続動作中の前記作動状態と前記断接機構の接続完了後の前記作動状態とが設定されている
ことを特徴とする、請求項２記載の車両の制御装置。
【請求項４】
前記運転モードには、ノーマルモードが含まれ、
前記ノーマルモードの前記マップでは、前記少なくとも三つの制御領域のうち、前記接続動作中に前記第一の回転電機を無負荷状態とし前記第二の回転電機を力行させる前記作動状態と、前記接続完了後に前記第二の回転電機を無負荷に遷移させつつ前記第一の回転電機を力行状態に切り替える前記作動状態とが設定された第一制御領域が最も広い
ことを特徴とする、請求項３記載の車両の制御装置。
【請求項５】
前記運転モードには、加速性よりもエネルギー消費率を重視するエコモードが含まれ、
前記エコモードの前記マップでは、前記少なくとも三つの制御領域のうち、前記接続動作中に前記第一の回転電機及び前記第二の回転電機をいずれも無負荷状態とする前記作動状態と、前記接続完了後に前記第一の回転電機及び前記第二の回転電機のうち前記第一の回転電機を力行状態に切り替える前記作動状態とが設定された第二制御領域が最も広い
ことを特徴とする、請求項３又は４記載の車両の制御装置。
【請求項６】
前記運転モードには、エネルギー消費率よりも加速性を重視するスポーツモードが含まれ、
前記スポーツモードの前記マップでは、前記少なくとも三つの制御領域のうち、前記接続動作中に前記第一の回転電機を無負荷状態とし前記第二の回転電機を力行させる前記作動状態と、前記接続完了後に前記第一の回転電機も併せて力行させる前記作動状態とが設定された第三制御領域が最も広い
ことを特徴とする、請求項３〜５のいずれか１項に記載の車両の制御装置。
【発明の詳細な説明】
【技術分野】
【０００１】
本発明は、駆動源としてのエンジン及び第一の回転電機と、エンジンの動力で発電する第二の回転電機とが装備された車両の制御装置に関する。
【背景技術】
【０００２】
従来、エンジンと回転電機（モータ，ジェネレータ，モータジェネレータ）とを装備したハイブリッド車両において、走行モードを切り替えながら走行する車両が実用化されている。走行モードには、バッテリの充電電力を用いてモータのみで走行するＥＶモード、エンジンによってジェネレータを発電させつつモータのみで走行するシリーズモード、エンジン主体で走行しつつ必要があればモータでアシストするパラレルモード等が含まれる。【０００３】
エンジンの動力とモータの動力とを個別に出力可能なハイブリッド車両では、エンジンから駆動輪までの動力伝達経路とモータから駆動輪までの動力伝達経路とが別々に設けられる。また、こうしたハイブリッド車両では一般的に、高車速ではエンジン主体で走行するモード（パラレルモード）が選択される。パラレルモードにおいて、モータアシストが不要な場合、すなわちエンジンの動力のみで走行可能な場合には、モータが駆動輪に連れ回されて回転する。このときのモータの連れ回りによって生じた誘起電圧が駆動用バッテリの電圧を上回ると、車両に対して回生ブレーキが働くことになるため、運転者に違和感を与えかねない。【０００４】
従来は、このような違和感を与えないように、弱め磁束制御を実施することで高速走行時に意図しない回生ブレーキが生じることを防いでいた。しかし、弱め磁束制御の実施には電力を消費するため、電費向上の観点からはこの制御の実施は好ましくない。このような課題に対し、エンジン走行中にモータアシストが不要であれば、モータを動力伝達経路から切り離すクラッチ（断接機構）を設けることが提案されている（例えば特許文献１参照）。
【先行技術文献】
【特許文献】
【０００５】
【特許文献１】国際公開第２０１７／２１７０６７号
【発明の概要】
【発明が解決しようとする課題】
【０００６】
しかしながら、上記のクラッチを備えた車両では、切断状態のクラッチの接続を開始しても、すぐには接続が完了しないことから、モータの動力が駆動輪に伝達されるようになるまでに時間がかかるという課題がある。つまり、モータアシストが必要な状況においてレスポンス遅れが生じることがある。【０００７】
ところで、車両には、上記の走行モードとは別に、動力性能の異なる複数のモード（以下「運転モード」という）が設けられることがある。運転モードには、例えば、燃費，電費（以下「エネルギー消費率」ともいう）を重視したエコな走りを実現するエコモード、加速性を重視したスポーティーな走りを実現するスポーツモード、加速性及びエネルギー消費率の双方を同等に重視するノーマルモード等が含まれる。【０００８】
運転モードは、運転者の運転傾向などから車両が自動的に選択してもよいし、乗員が任意に選択してもよい。選択された運転モードによっては、上記のレスポンス遅れが生じても、乗員が「反応が遅い」と感じるとは限らない。つまり、選択された運転モードごとに、上記のレスポンス遅れが許容される場合と許容されない場合とがある。例えば、エコモードが選択されている場合には、必ずしもレスポンス遅れを改善しなくてよく、むしろ燃費，電費の向上を図るほうが運転者の意思や運転モードに即している。【０００９】
本件の制御装置は、このような課題に鑑み案出されたもので、回転電機の駆動力及びエンジンの駆動力のそれぞれで走行可能なハイブリッド車両において、切断状態の断接機構を接続する際に運転モードに即した制御を実施することを目的の一つとする。なお、この目的に限らず、後述する発明を実施するための形態に示す各構成により導かれる作用効果であって、従来の技術によっては得られない作用効果を奏することも本件の他の目的である。
【課題を解決するための手段】
【００１０】
（１）ここで開示する制御装置は、エンジンと第一の回転電機と第二の回転電機とが搭載され、前記エンジンの動力及び前記第一の回転電機の動力を互いに異なる動力伝達経路から個別に駆動輪に伝達するとともに前記エンジンの動力を前記第二の回転電機にも伝達して発電する車両に設けられる。前記車両には、前記第一の回転電機の動力を前記駆動輪に伝達する動力伝達経路上に介装された断接機構と、動力性能の異なる複数の運転モードのうちの一つが選択される選択部と、が設けられる。また、前記制御装置は、前記選択部に対する入力に基づき前記運転モードを設定する設定部と、各々の前記運転モードにおける前記第一の回転電機と前記第二の回転電機との作動状態の関係が記憶された記憶部と、前記エンジンの駆動中かつ前記車両の加速時に切断状態の前記断接機構を接続させる際に、前記記憶部に記憶された、設定中の前記運転モードに対応する前記作動状態となるように前記第一の回転電機及び前記第二の回転電機を制御する制御部と、を備えている。【００１１】
なお、前記第一の回転電機とは、回転する電機子又は界磁を有し、少なくとも電動機能を有する電動発電機（モータジェネレータ）又は電動機を意味する。また、前記第二の回転電機とは、回転する電機子又は界磁を有し、少なくとも発電機能を有する電動発電機（モータジェネレータ）又は発電機を意味する。また、前記断接機構としては、例えば、多板クラッチやドグクラッチといったクラッチ機構，係合部材（スリーブ）を用いたシンクロ機構，サンギヤとキャリアとリングギヤとを用いた遊星歯車機構が挙げられる。【００１２】
（２）前記記憶部には、前記運転モードごとに、アクセル開度及びアクセル開速度に基づいて前記作動状態を決定するマップが記憶されていることが好ましい。
（３）前記マップには、前記第一の回転電機と前記第二の回転電機との作動状態を決定するための少なくとも三つの制御領域が設定されており、各々の前記制御領域には、前記断接機構の接続動作中の前記作動状態と前記断接機構の接続完了後の前記作動状態とが設定されていることが好ましい。【００１３】
（４）前記運転モードには、ノーマルモードが含まれることが好ましい。この場合、前記ノーマルモードの前記マップでは、前記少なくとも三つの制御領域のうち、前記接続動作中に前記第一の回転電機を無負荷状態とし前記第二の回転電機を力行させる前記作動状態と、前記接続完了後に前記第二の回転電機を無負荷に遷移させつつ前記第一の回転電機を力行状態に切り替える前記作動状態とが設定された第一制御領域が最も広いことが好ましい。【００１４】
（５）前記運転モードには、加速性よりもエネルギー消費率を重視するエコモードが含まれることが好ましい。この場合、前記エコモードの前記マップでは、前記少なくとも三つの制御領域のうち、前記接続動作中に前記第一の回転電機及び前記第二の回転電機をいずれも無負荷状態とする前記作動状態と、前記接続完了後に前記第一の回転電機及び前記第二の回転電機のうち前記第一の回転電機を力行状態に切り替える前記作動状態とが設定された第二制御領域が最も広いことが好ましい。【００１５】
（６）前記運転モードには、エネルギー消費率よりも加速性を重視するスポーツモードが含まれることが好ましい。この場合、前記スポーツモードの前記マップでは、前記少なくとも三つの制御領域のうち、前記接続動作中に前記第一の回転電機を無負荷状態とし前記第二の回転電機を力行させる前記作動状態と、前記接続完了後に前記第一の回転電機も併せて力行させる前記作動状態とが設定された第三制御領域が最も広いことが好ましい。
【発明の効果】
【００１６】
開示の車両の制御装置によれば、設定中の運転モードに対応して二つの回転電機を制御することで、レスポンス遅れを許容できない場面ではレスポンス遅れを適切に改善でき、レスポンス遅れを許容できる場面では電費向上を図ることができる。これにより、切断状態の断接機構を接続する際に運転モードに即した制御を実施することができる。
【図面の簡単な説明】
【００１７】
【図１】実施形態に係る制御装置が搭載されるハイブリッド車両の構成を例示する模式図である。
【図２】車速及び要求駆動力に応じた走行モードを設定したマップ例である。
【図３】記憶部に記憶されている対応関係を例示するマップであり、（ａ）はエコモードのマップ、（ｂ）はノーマルモードのマップ、（ｃ）はスポーツモードのマップである。
【図４】動力伝達について説明するための図であり、パラレルモードでモータアシストがない状態を示す。
【図５】動力伝達について説明するための図であり、図４の状態から要求駆動力が増大したときの状態を示す。
【図６】動力伝達について説明するための図であり、図５の状態からクラッチの接続が完了したときの状態を示す。
【図７】動力伝達について説明するための図であり、図６の状態からジェネレータを無負荷にした状態を示す。
【図８】図１の制御装置で実施される制御内容を例示するフローチャートである。
【発明を実施するための形態】
【００１８】
図面を参照して、実施形態としての車両の制御装置について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１９】
［１．全体構成］
本実施形態の制御装置１は、図１に示す車両１０に適用され、この車両１０に搭載されるエンジン２，モータ３，ジェネレータ４，クラッチ７，８等を制御する。この車両１０は、駆動源としてのエンジン２と走行用のモータ３（第一の回転電機）と発電用のジェネレータ４（第二の回転電機）とを装備したハイブリッド車両である。なお、本実施形態では、これらの機器２，３，４が車両１０の前側に搭載されているものとする。
【００２０】
ジェネレータ４はエンジン２に連結され、モータ３の作動状態とは独立して作動可能である。車両１０にはＥＶモード，シリーズモード，パラレルモードの三種類の走行モードが用意される。これらの走行モードは、制御装置１によって、車両状態や走行状態，運転者の要求駆動力等に応じて択一的に選択され、その種類に応じてエンジン２，モータ３，ジェネレータ４が使い分けられる。
【００２１】
図２は、車速及び要求駆動力に応じて走行モードを選択するときに用いられるマップの一例である。ＥＶモードは、エンジン２及びジェネレータ４を停止させたまま、駆動用のバッテリ９（図１参照）の充電電力を用いてモータ３のみで車両１０を駆動する走行モードである。ＥＶモードは、要求駆動力及び車速がいずれも低い場合やバッテリ９の充電レベルが高い場合に選択される。シリーズモードは、エンジン２でジェネレータ４を駆動して発電しつつ、その電力を利用してモータ３で車両１０を駆動する走行モードである。シリーズモードは、要求駆動力が高い場合やバッテリ９の充電レベルが低い場合に選択される。パラレルモードは、おもにエンジン２の駆動力で車両１０を駆動し、必要に応じてモータ３で車両１０の駆動をアシストする走行モードであり、車速が高い場合や要求駆動力が高い場合に選択される。
【００２２】
車両１０には、上記の走行モードとは別に、動力性能の異なる複数の運転モードが用意される。本実施形態の運転モードには、エコモード，スポーツモード，ノーマルモードの三種類が含まれる。エコモードは、加速性よりも燃費，電費（以下「エネルギー消費率」という）を重視したエコな走りを実現する運転モードであり、反対に、スポーツモードは、エネルギー消費率よりも加速性を重視したスポーティーな走りを実現する運転モードである。また、ノーマルモードは、加速性及びエネルギー消費率の双方を同等に重視する運転モードであり、車両１０の主電源がオフからオンになったときに自動的に設定される初期モードでもある。運転モードは、運転者の運転傾向などから車両１０が自動的に選択してもよいし、乗員が任意に選択してもよい。運転モードの種類に応じて、制御装置１により、アクセルペダルの踏み込み操作に対する車軸出力が変えられる。
【００２３】
図１に示すように、駆動輪５（ここでは前輪）には、複数のギヤやクラッチを内蔵したトランスアクスル２０を介してエンジン２及びモータ３が並列に接続され、エンジン２及びモータ３のそれぞれの動力が互いに異なる動力伝達経路から個別に伝達される。すなわち、エンジン２及びモータ３のそれぞれは、車両１０の駆動軸６を駆動する。また、エンジン２には、トランスアクスル２０を介してジェネレータ４及び駆動輪５が並列に接続され、エンジン２の動力が、駆動輪５に加えてジェネレータ４にも伝達される。
【００２４】
トランスアクスル２０は、デファレンシャルギヤ１８（差動装置、以下「デフ１８」と呼ぶ）を含むファイナルドライブ（終減速機）とトランスミッション（減速機）とを一体に形成した動力伝達装置であり、駆動源と被駆動装置との間の動力伝達を担う複数の機構を内蔵する。
【００２５】
エンジン２は、ガソリンや軽油を燃料とする内燃機関（ガソリンエンジン，ディーゼルエンジン）である。このエンジン２は、クランクシャフト２ａの向きが車両１０の車幅方向に一致するように横向きに配置されたいわゆる横置きエンジンであり、トランスアクスル２０の右側面に対して固定される。クランクシャフト２ａは、駆動軸６に対して平行に配置される。エンジン２の作動状態は、制御装置１で制御されてもよいし、制御装置１とは別の電子制御装置（図示略）で制御されてもよい。
【００２６】
本実施形態のモータ３及びジェネレータ４はいずれも、電動機としての機能と発電機としての機能とを兼ね備えた電動発電機（モータ・ジェネレータ）である。モータ３は、バッテリ９と電力の授受を行なう駆動源であり、おもに電動機として機能して車両１０を駆動し、回生時には発電機として機能する。
【００２７】
ジェネレータ４は、エンジン２を始動させる際に電動機（スターター）として機能し、エンジン２の作動時にはエンジン動力で駆動されて発電する。さらにジェネレータ４は、力行状態では車両１０の駆動軸６に駆動力を伝達する。モータ３及びジェネレータ４の各周囲（又は各内部）には、直流電流と交流電流とを変換するインバータ（図示略）が設けられる。モータ３及びジェネレータ４の各回転速度及び各作動状態（力行運転，回生・発電運転）は、インバータを制御することで制御される。
【００２８】
車両１０には、車両１０に搭載される各種装置を統合制御する制御装置１が設けられる。また、車両１０には、アクセルペダルの踏み込み操作量（アクセル開度）を検出するアクセル開度センサ３１と、車速を検出する車速センサ３２とが設けられる。また、車両１０には、複数の運転モードのうちの一つが選択される選択部３３が設けられる。選択部としては、例えば、運転者が任意に運転モードを選択するために操作するスイッチや、車両１０が運転者の運転傾向を認識，学習し、自動で運転モードを選択する機能が挙げられる。なお、選択部３３としてのスイッチは、運転者が運転中に操作可能な位置に配置され、選択部３３としての機能は、例えば制御装置１で実行されるプログラムの一部の機能として設けられていてもよいし、制御装置１とは別の電子制御装置内に設けられてもよい。アクセル開度センサ３１，車速センサ３２で検出された情報及び選択部３３に対する入力は、制御装置１に伝達される。
【００２９】
制御装置１は、例えばマイクロプロセッサやＲＯＭ，ＲＡＭ等を集積したＬＳＩデバイスや組み込み電子デバイスとして構成された電子制御装置であり、車両１０に搭載される各種装置を統合制御する。本実施形態の制御装置１は、運転者の要求駆動力等に応じて走行モードを選択し、選択した走行モードに応じて各種機器（例えばエンジン２や回転電機３，４）を制御するとともにトランスアクスル２０内のクラッチ７，８の断接状態を制御する。また、制御装置１は、選択された運転モードを設定し、その運転モードに応じて、アクセルペダルの踏み込み操作に対する車軸出力を変更する。
【００３０】
本実施形態のトランスアクスル２０には、互いに平行に配列された六つの軸１１〜１６が設けられる。以下、クランクシャフト２ａと同軸上に接続される回転軸を入力軸１１と呼び、駆動軸６と同軸上に接続される回転軸を出力軸１２と呼ぶ。また、モータ３の回転軸，ジェネレータ４の回転軸のそれぞれと同軸上に接続される回転軸を、モータ軸１３，ジェネレータ軸１４と呼ぶ。また、モータ軸１３と出力軸１２との間の動力伝達経路上に配置された回転軸を第一カウンタ軸１５と呼び、入力軸１１と出力軸１２との間の動力伝達経路上に配置された回転軸を第二カウンタ軸１６と呼ぶ。六つの軸１１〜１６はいずれも、両端部が軸受（図示略）を介してトランスアクスル２０のケーシングに軸支される。
【００３１】
トランスアクスル１の内部には、図１中に模様付き太矢印で示す三つの動力伝達経路が形成される。具体的には、エンジン２から入力軸１１及び第一カウンタ軸１５を介して出力軸１２に至る動力伝達経路（以下「第一経路４１」と呼ぶ）と、モータ３からモータ軸１３及び第二カウンタ軸１６を介して出力軸１２に至る動力伝達経路（以下「第二経路４２」と呼ぶ）と、エンジン２から入力軸１１を介してジェネレータ軸１４に至る動力伝達経路（以下「第三経路４３」と呼ぶ）とが形成される。第一経路４１及び第二経路４２は駆動用の動力伝達経路であり、第三経路４３は発電用の動力伝達経路である。
【００３２】
第一経路４１上には、ジェネレータ４と同期して回転することで動力が伝達される入力軸１１及び入力軸１１の動力が伝達される第一カウンタ軸１５が設けられる。また、第一経路４１の中途（本実施形態では第一カウンタ軸１５上）には、その動力伝達を断接するクラッチ７が介装される。以下、このクラッチ７を「エンジンクラッチ７」とも呼ぶ。第一カウンタ軸１５には、右側（エンジン２に近い側）から順に、入力軸１１のギヤ１１ａと噛み合うギヤ１５ａと、エンジンクラッチ７と、出力軸１２に設けられたデフ１８のリングギヤ１８ｂと噛み合うギヤ１５ｂとが設けられる。
【００３３】
エンジンクラッチ７は、例えば湿式の多板クラッチやドグクラッチである。エンジンクラッチ７よりも動力伝達経路の上流側（エンジン２及びジェネレータ４側）の動力は、エンジンクラッチ７が係合状態であれば出力軸１２に伝達され、切断（開放）状態であれば遮断される。なお、エンジンクラッチ７の断接状態は、制御装置１によって制御される。
【００３４】
第二経路４２は、モータ３の駆動力を駆動輪５に伝達する動力伝達経路である。第二経路４２上には、モータ３と同期して回転することで動力が伝達されるモータ軸１３と、モータ軸１３の動力が伝達される第二カウンタ軸１６とが設けられる。また、第二経路４２の中途（本実施形態では第二カウンタ軸１６上）には、その動力伝達を断接するクラッチ８（断接機構）が介装される。以下、このクラッチ８を「モータクラッチ８」と呼ぶ。第二カウンタ軸１６には、右側から順に、モータ軸１３のギヤ１３ａと噛み合うギヤ１６ａと、モータクラッチ８と、デフ１８のリングギヤ１８ｂと噛み合うギヤ１６ｂとが設けられる。
【００３５】
モータクラッチ８は、例えば湿式の多板クラッチやドグクラッチである。モータクラッチ８よりも動力伝達経路の上流側の動力（すなわちモータ３の駆動力）は、モータクラッチ８が係合状態であれば出力軸１２に伝達され、切断（開放）状態であれば遮断される。なお、モータクラッチ８の断接状態は、制御装置１によって制御される。
【００３６】
第三経路４３は、エンジン２からジェネレータ４への動力伝達及びジェネレータ４からエンジン２への動力伝達に係る経路であり、ジェネレータ４が電動機及び発電機のそれぞれとして作動した場合の動力伝達を担うものである。ジェネレータ４が電動機として作動する場合には、ジェネレータ４の駆動力により入力軸１１を回転させることができる。エンジン２及びジェネレータ４は、クラッチを介すことなく、互いに噛み合うギヤ１１ａ，１４ａを介して直結されている。なお、ジェネレータ４が電動機として作動する場合には、ジェネレータ４の駆動力は第三経路４３の一部と第一経路４１の一部とを介して駆動輪５に伝達される。
【００３７】
本実施形態では、走行モードがＥＶモード又はシリーズモードである場合には、エンジンクラッチ７が切断状態とされ、モータクラッチ８が係合状態とされる。また、走行モードがパラレルモードであってモータアシスト（モータ３の駆動力）が不要な場合には、エンジンクラッチ７が係合状態とされ、モータクラッチ８が切断状態とされる。また、走行モードがパラレルモードであってモータアシストが必要な場合には、エンジンクラッチ７及びモータクラッチ８の双方が係合状態とされる。
【００３８】
［２．制御構成］
本実施形態の制御装置１は、エンジン２の駆動力のみでの走行中かつ加速時にモータアシストが必要な場合、そのとき設定中の運転モードに基づいて、モータクラッチ８を接続させる際のモータ３及びジェネレータ４を制御する。以下、この制御を「加速時制御」と呼ぶ。加速時制御は、エンジン２の動力で駆動輪５を駆動している際（エンジン２の駆動中）にアクセルペダルが踏み込まれ、車両１０に対する要求駆動力の増加に伴いモータクラッチ８を「切断状態」から「係合状態」に変更するときに実施される制御である。つまり、加速時制御は、走行モードがパラレルモードに設定されており、かつ、モータアシストがない加速時に行われる。
【００３９】
本実施形態の車両１０には、運転モードとして、上述したエコモード，スポーツモード，ノーマルモードの三種類が用意されている。運転モードは、乗員によって選択される場合と車両１０が自動的に選択する場合がある。いずれの場合であっても、加速時制御では、設定中の運転モードを参照することで運転モード（どのような走りを実現すべきか）を把握し、その運転モードに即した制御の実現を図る。例えば、運転モードが乗員によって選択される場合には、乗員の意思に即した制御が実現される。
【００４０】
本実施形態の制御装置１には、要求駆動力を算出する算出部１Ａと、走行モードを設定する第一設定部１Ｂと、運転モードを設定する第二設定部１Ｃと、加速時制御を実施するための記憶部１Ｄ及び制御部１Ｅとが設けられる。これらの要素は、制御装置１で実行されるプログラムの一部の機能を示すものであり、ソフトウェアで実現されるものとする。ただし、各機能の一部又は全部をハードウェア（電子回路）で実現してもよく、あるいはソフトウェアとハードウェアとを併用して実現してもよい。
【００４１】
算出部１Ａは、例えばアクセル開度センサ３１で検出されたアクセル開度（APS）と車速センサ３２で検出された車速とに基づいて、車両１０に対する要求駆動力（要求出力）を算出する。なお、算出部１Ａは、前後加速度や横加速度，ステアリング角度や車体の傾きといったパラメータを考慮して、より正確な要求駆動力を算出してもよい。算出部１Ａは、加速時制御を実施する場合に限らず、例えば車両１０の主電源が投入されている状態や車速が０でない状態で常に要求駆動力を算出する。
【００４２】
第一設定部１Ｂは、例えば図２に示すマップに対し、現在の車速及び要求駆動力を適用することで走行モードを選択し、その走行モードを設定する。本実施形態の第一設定部１Ｂは、バッテリ９の充電状態（充電率）に応じて、図２に例示したマップの各領域を変更する。例えば、バッテリ９の充電率が低くなるにつれ、ＥＶモードよりもシリーズモードが選択されやすくなるよう、マップの領域が変更される。なお、第一設定部１Ｂがマップの領域を変更する代わりに、バッテリ９の充電率ごとに異なる領域が設定されたマップを複数記憶しておき、充電率に対応するマップを選択する構成としてもよい。
【００４３】
第二設定部１Ｃ（設定部）は、選択部３３に対する入力に基づいて運転モードを設定する。ここでいう「入力」とは、選択部３３がスイッチである場合には運転者がスイッチ操作したときにスイッチから第二設定部１Ｃに伝達される入力信号を意味し、選択部３３が電子制御装置の機能である場合には、この機能から第二設定部１Ｃに伝達される入力信号を意味する。すなわち、第二設定部１Ｃは、車両１０の運転モードを、運転者又は車両１０によって選択されたものに設定する。なお、本実施形態の制御装置１では、車両１０の主電源がオフからオンになった時点では、自動的にノーマルモードが設定されるものとする。
【００４４】
記憶部１Ｄは、各運転モードにおけるモータ３とジェネレータ４との作動状態との関係を記憶している。ここでいう「作動状態」とは、加速時制御で実施する制御内容であり、具体的にはモータ３及びジェネレータ４をいつどのように制御するのかという内容である。本実施形態の記憶部１Ｄには、運転モードごとに、アクセル開度及びアクセル開速度に基づいて作動状態を決定するマップが記憶されている。なお、アクセル開速度は、アクセルペダルの踏み込み速度であり、アクセル開度センサ３１で検出されたアクセル開度を微分した値に相当する。
【００４５】
記憶部１Ｄに記憶されるマップの一例を図３（ａ）〜（ｃ）に示す。図３（ａ）はエコモードのマップであり、図３（ｂ）はノーマルモードのマップであり、図３（ｃ）はスポーツモードのマップである。各マップの横軸はアクセル開度、縦軸はアクセル開速度であり、各マップには少なくとも三つの制御領域が設定されている。各制御領域には、モータクラッチ８の接続動作中（以下、単に「接続動作中」という）の作動状態とモータクラッチ８の接続完了後（以下、単に「接続完了後」という）の作動状態とが設定されている。なお、図３（ａ）〜（ｃ）のマップには三つの制御領域が設定されているが、四つ以上の制御領域が設定されていてもよい。
【００４６】
以下、具体的に説明する。図中「領域１」と表記している第一制御領域には、接続動作中にモータ３を無負荷状態としジェネレータ４を力行させる作動状態と、接続完了後にジェネレータ４を無負荷に遷移させつつモータ３を力行状態に切り替える作動状態とが設定されている。つまり、第一制御領域では、モータクラッチ８の接続が完了するまでの間はジェネレータ４の駆動力を駆動軸６に伝達させることでレスポンス遅れを回避し、モータクラッチ８の接続が完了したのちはアシスト力を発生させる回転電機をジェネレータ４からモータ３へと変更することで、効率良くアシスト力を確保しつつジェネレータ４を発電機として待機させる。
【００４７】
図中「領域２」と表記している第二制御領域には、接続動作中にモータ３及びジェネレータ４をいずれも無負荷状態とする作動状態と、接続完了後にモータ３及びジェネレータ４のうちモータ３を力行状態に切り替える作動状態とが設定されている。つまり、第二制御領域では、モータクラッチ８の接続が完了するまでの間は二つの回転電機３，４を無負荷状態にすることで電費向上を図り、モータクラッチ８の接続が完了したのちはモータ３のみを駆動させることで、効率よくアシスト力を確保しつつエコな走りを実現する。
【００４８】
図中「領域３」と表記している第三制御領域には、接続動作中にモータ３を無負荷状態としジェネレータ４を力行させる作動状態と、接続完了後にモータ３も併せて力行させる作動状態とが設定されている。つまり、第三制御領域では、モータクラッチ８の接続が完了するまでの間は第一制御領域と同様、ジェネレータ４の駆動力を駆動軸６に伝達させることでレスポンス遅れを回避し、モータクラッチ８の接続が完了したのちはジェネレータ４に加えてモータ３も力行させることで、より強い加速感を実現する。
【００４９】
図３（ａ）に示すように、エコモードのマップでは、三つの制御領域のうち第二制御領域が最も広い。つまり、設定中の運転モードがエコモードである場合には、第二制御領域に設定されている上記の作動状態が最も実施されやすい。図３（ｂ）に示すように、ノーマルモードのマップでは、三つの制御領域のうち第一制御領域が最も広い。つまり、設定中の運転モードがノーマルモードである場合には、第一制御領域に設定されている上記の作動状態が最も実施されやすい。図３（ｃ）に示すように、スポーツモードのマップでは、三つの制御領域のうち第三制御領域が最も広い。つまり、設定中の運転モードがスポーツモードである場合には、第三制御領域に設定されている上記の作動状態が最も実施されやすい。
【００５０】
制御部１Ｅは、上記の加速時制御を実施するものである。すなわち制御部１Ｅは、エンジン２の駆動中かつ加速時に切断状態のモータクラッチ８を接続させる際に、記憶部１Ｄに記憶された、設定中の運転モードに対応する作動状態となるようにモータ３及びジェネレータ４を制御する。
【００５１】
ここで、制御部１Ｅの構成について、図４〜図７を用いて説明する。なお、図４〜図７中の模様付き太矢印は、動力の伝わり方を示す。また、図４に示す状態ではエンジンクラッチ７が接続されていることから、エンジン２の駆動力のみで車両１０は走行している。
【００５２】
制御部１Ｅは、図４に示すように、第一設定部１Ｂによりパラレルモードが設定されており、かつ、モータクラッチ８が切断状態である場合に、モータアシストの要否判定と加速時であるか否かの判定とを実施する。本実施形態の制御部１Ｅは、算出部１Ａで算出される要求駆動力に基づき前者の判定を実施、アクセル開度及び車速に基づき後者の判定を実施する。モータアシストが必要な加速時であれば上記の加速時制御を実施し、モータアシストが不要である場合又は加速時でない場合は加速時制御を実施しない。
【００５３】
本実施形態の制御部１Ｅは、要求駆動力とエンジン２の最大駆動力とを比較し、前者が後者よりも大きければ「モータアシストが必要」と判定し、前者が後者以下であれば「モータアシストは不要」と判定する。要求駆動力がエンジン２の最大駆動力よりも大きくなる状況としては、例えば運転者が加速のためにアクセルペダルを踏み込んだときが挙げられる。つまり、モータアシストが必要な状況は、加速時となることが多い。なお、エンジン２の最大駆動力は、例えば車速に応じて変化する可変値として制御装置１に予め設定されている。制御部１Ｅは、モータアシストの要否判定の時点における車速を取得し、この車速に応じた値（最大駆動力）を判定に用いる。
【００５４】
制御部１Ｅは、加速時制御を実施する場合には、設定中の運転モードのマップを選択し、アクセル開度及びこれを微分して求めたアクセル開速度を、選択したマップに適用することで三つの制御領域の中から一つを抽出し、その制御領域に設定されている作動状態を取得する。例えば、設定中の運転モードがノーマルモードである場合、制御部１Ｅは図３（ｂ）に例示するノーマルモードのマップを選択し、アクセル開度及びアクセル開速度をこのマップに適用したときの運転点が図３（ｂ）中に示すＡ点であれば、領域１（第一制御領域）に設定されている作動状態を取得する。
【００５５】
この場合、制御部１Ｅは、図５に示すように、切断状態のモータクラッチ８を接続させつつジェネレータ４を力行運転させて、ジェネレータ４の駆動力を駆動軸６に伝達させる。これにより、モータクラッチ８の接続が完了するまでの間の駆動力をジェネレータ４によって補填する。なお、このときのモータ３は無負荷状態である。モータクラッチ８の接続が完了した時点では、一時的にジェネレータ４の駆動力もモータ３の駆動力も駆動軸６に伝達可能な状態となる。制御部１Ｅは、接続が完了するとジェネレータ４を無負荷に遷移させつつモータ３を力行状態に切り替える。このため、図６に示すように、一時的にジェネレータ４の駆動力及びモータ３の駆動力がいずれも駆動軸６に伝達され、その後、図７に示すように、ジェネレータ４が完全に無負荷状態になりモータ３の駆動力のみが駆動軸６に伝達される。
【００５６】
また、設定中の運転モードがノーマルモードであって、図３（ｂ）に例示するノーマルモードのマップにアクセル開度及びアクセル開速度を適用したときの運転点が領域２（第二制御領域）に該当する場合には、第二制御領域に設定されている作動状態を取得する。この場合、制御部１Ｅは、モータ３及びジェネレータ４をいずれも無負荷状態としたままモータクラッチ８を接続させる。そして、モータクラッチ８の接続が完了したら、図７に示すようにモータ３を力行状態に切り替える。
【００５７】
また、設定中の運転モードがノーマルモードであって、図３（ｂ）に例示するノーマルモードのマップにアクセル開度及びアクセル開速度を適用したときの運転点が領域３（第三制御領域）に該当する場合には、第三制御領域に設定されている作動状態を取得する。この場合、制御部１Ｅは、図５に示すように、切断状態のモータクラッチ８を接続させつつジェネレータ４を力行運転させて、ジェネレータ４の駆動力を駆動軸６に伝達させる。なお、このときのモータ３は無負荷状態である。モータクラッチ８の接続完了後は、図６に示すように、モータ３も力行状態に切り替えることで、モータ３及びジェネレータ４の両方の駆動力を駆動軸６に伝達させる。
【００５８】
なお、制御部１Ｅは、設定中の運転モードがエコモード又はスポーツモードである場合にもノーマルモードである場合と同様に、マップから加速時に実施する作動状態を取得し、その作動状態となるようにモータ３及びジェネレータ４を制御する。
【００５９】
［３．フローチャート］
図８は、上述した制御装置１で実施される制御内容を説明するためのフローチャート例である。このフローチャートは、車両１０の主電源が投入されている状態で所定の演算周期で実施される。なお、制御装置１の第一設定部１Ｂによる走行モードの設定と第二設定部１Ｃによる運転モードの設定とは、このフローチャートとは別に実行されるものとし、設定された走行モード及び運転モードの各情報は制御部１Ｅに伝達されるものとする。
【００６０】
ステップＳ１では、各センサ３１，３２で検出された情報，第一設定部１Ｂでの走行モードの設定情報，第二設定部１Ｃでの運転モードの設定情報が伝達される。ステップＳ２では、設定中の走行モードがパラレルモードであるか否かが判定される。現在の走行モードがパラレルモードでない場合はこのフローチャートをリターンする。現在の走行モードがパラレルモードである場合はステップＳ３に進み、要求駆動力が算出され、ステップＳ４においてモータクラッチ８が切断状態であるか否かが判定される。
【００６１】
モータクラッチ８が切断状態であればステップＳ５に進み、ステップＳ３で算出された要求駆動力がエンジン２の最大駆動力よりも大きいか否かが判定される。この条件を満たさなければ、このフローチャートをリターンする。一方、ステップＳ５の条件を満たす場合はステップＳ６に進み、設定中の運転モードに対応する作動状態を、記憶部１Ｄに記憶されている対応関係（本実施形態ではマップ）から取得する。ステップＳ７では、モータクラッチ８の接続が開始されるとともに、ステップＳ６で取得した作動状態に基づき接続動作中におけるモータ３及びジェネレータ４の制御が実施される（ステップＳ８）。そして、モータクラッチ８の接続が完了したか否かが判定され（ステップＳ９）、接続が完了するまで接続動作中の制御が継続される（ステップＳ８）。
【００６２】
モータクラッチ８の接続が完了して係合状態となったらステップＳ１０に進み、ステップＳ６で取得した作動状態に基づき接続完了後におけるモータ３及びジェネレータ４の制御が実施され、このフローチャートをリターンする。この場合、次の演算周期において、要求駆動力が算出され（ステップＳ３）、モータクラッチ８が係合状態であるためステップＳ４からステップＳ１１に進む。
【００６３】
ステップＳ１１では、ステップＳ３で算出された要求駆動力がエンジン２の最大駆動力よりも大きいか否かが判定される。この条件を満たす場合は、このフローチャートをリターンし、モータクラッチ８の接続状態が維持される。一方、ステップＳ１１の条件を満たさない場合は、ステップＳ１２に進み、モータクラッチ８が切断され、モータ３及びジェネレータ４がいずれも無負荷状態に制御されて（ステップＳ１３）、このフローチャートをリターンする。
【００６４】
［４．効果］
（１）上述した制御装置１では、エンジン２の駆動中かつ加速時において、断接機構（本実施形態ではモータクラッチ８）を切断状態から係合状態に移行する際に、記憶部１Ｄに記憶された、設定中の運転モードに対応する作動状態となるように二つの回転電機３，４が制御される。例えば、モータアシストが必要な状況においてレスポンス遅れを許容できない場面では、第二の回転電機（本実施形態ではジェネレータ４）の駆動力が駆動輪５に伝達されるようジェネレータ４が制御されることで、レスポンス遅れを適切に改善できる。反対に、レスポンス遅れを許容できる場面では二つの回転電機３，４がいずれも無負荷状態とされることで、電費向上を図ることができる。したがって、切断状態のモータクラッチ８を接続する際に運転モードに即した制御を実施できる。
【００６５】
（２）上述した記憶部１Ｄには、運転モードごとに、アクセル開度及びアクセル開速度に基づいて作動状態を決定するマップが記憶されている。これにより、上述した制御装置１によれば、アクセル開度とアクセル開速度とから乗員の加速要求度合いを判断できるため、運転モードに即した制御を実施できる。
【００６６】
（３）また、マップには少なくとも三つの制御領域が設定されており、各制御領域にはモータクラッチ８の接続動作中の作動状態と、モータクラッチ８の接続完了後の作動状態とが設定されている。このため、モータクラッチ８の接続動作中及び接続完了後のそれぞれにおいて、運転モードに即した制御を実施できる。
【００６７】
（４）上述した運転モードにはノーマルモードが含まれており、ノーマルモードのマップでは第一制御領域が最も広くなっているため、ノーマルモードが選択されている場合には第一制御領域に設定されている作動状態が最も実施されやすくなっている。すなわち、ノーマルモードでは、モータクラッチ８の接続動作中にジェネレータ４を力行させることでレスポンス遅れを解消でき、接続完了後はモータ３によって車両１０を駆動することで、効率良くアシスト力を確保しつつジェネレータ４を発電機として待機させることができる。このように、ノーマルモードでは、モータアシストが必要な状況においてレスポンス遅れを解消しつつアシスト力も確保できるため、運転モードに即した制御を実施できる。
【００６８】
（５）上述した運転モードにはエコモードが含まれており、エコモードのマップでは第二制御領域が最も広くなっているため、エコモードが選択されている場合には第二制御領域に設定されている作動状態が最も実施されやすくなっている。すなわち、エコモードでは、モータクラッチ８の接続動作中に回転電機３，４を無負荷状態とすることで電費を向上でき、接続完了後はモータ３によって車両１０を駆動することで、効率良くアシスト力を確保しつつジェネレータ４を発電機として待機させることができる。このように、エコモードでは、エネルギー消費率を抑えたエコな運転ができるため、運転モードに即した制御を実施できる。
【００６９】
（６）上述した運転モードにはスポーツモードが含まれており、スポーツモードのマップでは第三制御領域が最も広くなっているため、スポーツモードが選択されている場合には第三制御領域に設定されている作動状態が最も実施されやすくなっている。すなわち、スポーツモードでは、モータクラッチ８の接続動作中にジェネレータ４を力行させることでレスポンス遅れを解消でき、接続完了後は回転電機３，４の双方によって車両１０を駆動することで大きなアシスト力を確保できる。このように、スポーツモードでは、モータアシストが必要な状況においてレスポンス遅れを解消しつつ強い加速感を実現できるため、運転モードに即した制御を実施できる。
【００７０】
（７）なお、上述したマップには、三つの制御領域が設定されており、アクセル操作によっては、例えばノーマルモードであっても第二制御領域又は第三制御領域が選択されることがある。言い換えると、アクセル操作によっては、設定中の運転モードのマップにおいて、必ずしも最も広い制御領域が選択されるとは限らない。つまり、上述した制御装置１によれば、選択部３３への入力だけでなく、アクセル操作という乗員の操作の一つをも考慮でき、切断状態のモータクラッチ８を接続する際に運転モード及び乗員の意思に即した制御を実施できる。
【００７１】
［５．その他］
上述した加速時制御の内容は一例であって、上述したものに限られない。例えば、運転モードの種類は上述した三つ（ノーマルモード，エコモード，スポーツモード）に限られず、これらのうちの二つが含まれてもよいし、他の運転モードが含まれてもよい。少なくとも、車両１０には、動力性能の異なる複数の運転モードが設けられていればよく、これらのうちの一つが任意に選択されるように構成されていればよい。例えば、選択部３３としてのスイッチ及び機能のいずれか一方のみが設けられていてもよい。
【００７２】
上述した三つのマップには、それぞれ三つの制御領域が設定されているが、制御領域の種類，個数，形状，大きさは特に限られない。例えば、エコモードのマップに、第一制御領域及び第二制御領域の二つが設定されてもよいし、スポーツモードのマップに、第一制御領域及び第三制御領域の二つが設定されてもよい。なお、記憶部１Ｄには、各運転モードにおける二つの回転電機３，４の作動状態の関係が記憶されていればよく、上述したようなマップとして記憶されていなくてもよい。例えば、各運転モードに対する二つの回転電機３，４の作動状態が一意に記憶されており、運転モードがノーマルモードである場合には、アクセル操作によらず、予め記憶された作動状態を取得できる構成としてもよい。なお、上述した作動状態は一例であって、上述した内容に限られない。
【００７３】
上述した制御装置１は、モータアシストなしのパラレルモード中かつ加速時に、要求駆動力がエンジン２の最大駆動力よりも大きくなった場合に加速時制御を開始しているが、加速時制御の開始条件はこれに限られない。例えば、エンジン２の最大駆動力よりもやや小さな値に設定された判定閾値を設けておき、モータアシストなしのパラレルモード中かつ加速時に、要求駆動力がこの判定閾値を超えたら加速時制御を実施する構成としてもよい。なお、この判定閾値は予め設定された固定値であってもよいし、車両１０の走行状態等に応じて設定される可変値であってもよい。
【００７４】
上述した制御装置１が制御するトランスアクスル２０の構成は一例であって、上述したものに限られない。また、トランスアクスル２０に対するエンジン２，モータ３，ジェネレータ４の相対位置は上述したものに限らない。これらの相対位置に応じて、トランスアクスル２０内の六つの軸１１〜１６の配置を設定すればよい。また、トランスアクスル２０内の各軸に設けられるギヤの配置も一例であって、上述したものに限られない。
【００７５】
また、上述した加速時制御は、二つの回転電機（モータやモータジェネレータ等）及びエンジンを備えた車両であって、エンジンの動力及び第一の回転電機の動力を互いに異なる動力伝達経路から個別に駆動輪に伝達するとともに、エンジンの動力を第二の回転電機にも伝達して発電する車両に対して適用可能であり、車両には、第一の回転電機の動力を駆動輪に伝達する動力伝達経路上に断接機構が設けられていればよい。すなわち、上述したトランスアクスル２０以外の変速装置を備えた車両に対して、上述した加速時制御を適用してもよい。上記実施形態では、断接機構としてモータクラッチ８（クラッチ機構）を例示したが、断接機構はこれに限られない。例えば、断接機構として、係合部材（スリーブ）を用いたシンクロ機構や、サンギヤとキャリアとリングギヤとを用いた遊星歯車機構を採用してもよい。なお、エンジンクラッチ７も同様に、クラッチ機構に限られず、シンクロ機構や遊星歯車機構であってもよい。
【００７６】
なお、上述した実施形態では、車両１０の前側にエンジン２及びモータ３が搭載された前輪駆動のハイブリッド車両を例示したが、上記の加速時制御は、車両の後側にリヤモータ（図示略）が搭載された四輪駆動のハイブリッド車両にも適用可能である。また、車両１０に搭載される回転電機３，４は上記のモータ３，ジェネレータ４に限られない。第一の回転電機は、回転する電機子又は界磁を有し、少なくとも電動機能を有する電動発電機（モータジェネレータ）又は電動機であればよい。また、第二の回転電機は、回転する電機子又は界磁を有し、少なくとも発電機能を有する電動発電機（モータジェネレータ）又は発電機であればよい。
【符号の説明】
【００７７】
１  制御装置
１Ａ  算出部
１Ｂ  第一設定部
１Ｃ  第二設定部（設定部）
１Ｄ  記憶部
１Ｅ  制御部
２  エンジン
３  モータ（第一の回転電機）
４  ジェネレータ（第二の回転電機）
５  駆動輪
６  駆動軸
７  エンジンクラッチ
８  モータクラッチ（断接機構）
９  バッテリ
１０  車両
２０  トランスアクスル
３３  選択部
４１  第一経路（動力伝達経路）
４２  第二経路（動力伝達経路）
４３  第三経路
【図１】
2020148975.tif 000003
【図２】
2020148975.tif 000004
【図３】
2020148975.tif 000005
【図４】
2020148975.tif 000006
【図５】
2020148975.tif 000007
【図６】
2020148975.tif 000008
【図７】
2020148975.tif 000009
【図８】
2020148975.tif 000010
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
エンジンと第一の回転電機と第二の回転電機とが搭載され、前記エンジンの動力及び前記第一の回転電機の動力を互いに異なる動力伝達経路から個別に駆動輪に伝達するとともに前記エンジンの動力を前記第二の回転電機にも伝達して発電する車両の制御装置において、
前記車両には、前記第一の回転電機の動力を前記駆動輪に伝達する動力伝達経路上に介装された断接機構と、動力性能の異なる複数の運転モードのうちの一つが選択される選択部と、が設けられ、
前記制御装置は、
前記選択部に対する入力に基づき前記運転モードを設定する設定部と、
各々の前記運転モードにおける前記第一の回転電機と前記第二の回転電機との作動状態の関係が記憶された記憶部と、
前記エンジンの駆動中かつ前記車両の加速時に切断状態の前記断接機構を接続させる際に、前記記憶部に記憶された、設定中の前記運転モードに対応する前記作動状態となるように前記第一の回転電機及び前記第二の回転電機を制御する制御部と、を備え、
前記記憶部には、前記運転モードごとに、アクセル開度及びアクセル開速度に基づいて前記作動状態を決定するマップが記憶されている
ことを特徴とする、車両の制御装置。
【請求項２】
（削除）
【請求項３】
前記マップには、前記第一の回転電機と前記第二の回転電機との作動状態を決定するための少なくとも三つの制御領域が設定されており、
各々の前記制御領域には、前記断接機構の接続動作中の前記作動状態と前記断接機構の接続完了後の前記作動状態とが設定されている
ことを特徴とする、請求項１記載の車両の制御装置。
【請求項４】
前記運転モードには、ノーマルモードが含まれ、
前記ノーマルモードの前記マップでは、前記少なくとも三つの制御領域のうち、前記接続動作中に前記第一の回転電機を無負荷状態とし前記第二の回転電機を力行させる前記作動状態と、前記接続完了後に前記第二の回転電機を無負荷に遷移させつつ前記第一の回転電機を力行状態に切り替える前記作動状態とが設定された第一制御領域が最も広い
ことを特徴とする、請求項３記載の車両の制御装置。
【請求項５】
前記運転モードには、加速性よりもエネルギー消費率を重視するエコモードが含まれ、
前記エコモードの前記マップでは、前記少なくとも三つの制御領域のうち、前記接続動作中に前記第一の回転電機及び前記第二の回転電機をいずれも無負荷状態とする前記作動状態と、前記接続完了後に前記第一の回転電機及び前記第二の回転電機のうち前記第一の回転電機を力行状態に切り替える前記作動状態とが設定された第二制御領域が最も広い
ことを特徴とする、請求項３又は４記載の車両の制御装置。
【請求項６】
前記運転モードには、エネルギー消費率よりも加速性を重視するスポーツモードが含まれ、
前記スポーツモードの前記マップでは、前記少なくとも三つの制御領域のうち、前記接続動作中に前記第一の回転電機を無負荷状態とし前記第二の回転電機を力行させる前記作動状態と、前記接続完了後に前記第一の回転電機も併せて力行させる前記作動状態とが設定された第三制御領域が最も広い
ことを特徴とする、請求項３〜５のいずれか１項に記載の車両の制御装置。
【国際調査報告】
2020148975.tif 000011
2020148975.tif 000012